(57)【特許請求の範囲】
【請求項１】
埋設杭の周りに掘削用ケーシングで掘削穴を掘削し、前記埋設杭に杭保持ワイヤーの杭保持用環状部を巻きつけて重機により掘削用ケーシングとともに埋設杭を引き抜くようにした埋設杭の引き抜き方法において、
前記掘削用ケーシングの下端部付近からこの掘削用ケーシングの内壁面に設けたワイヤー収納凹部に複数本の吊りワイヤーを垂下し、この吊りワイヤーにて少なくとも２周した前記杭保持用環状部を支持し、この杭保持用環状部を前記ワイヤー収納凹部内に仮止めし、前記杭保持用環状部の両端部の直線部を前記掘削用ケーシングの外周のワイヤーガイド溝に案内して地上の重機に連結する工程と、
前記埋設杭の周りに前記杭保持ワイヤーを取り付けた前記掘削用ケーシングで掘削穴を掘削する工程と、
前記重機で連結棒を介して杭保持ワイヤーを引き上げ、前記杭保持用環状部を絞って埋設杭に巻きつける工程と、
前記杭保持ワイヤーによる埋設杭への巻き付け後、前記杭保持ワイヤーを掘削用ケーシングに固定する工程と、
前記杭保持ワイヤーと掘削用ケーシングの引き上げにより、埋設杭を引き抜く工程と
からなることを特徴とする埋設杭の引き抜き方法。
【請求項２】
吊りワイヤーは、少なくとも３本を略等間隔で設け、杭保持ワイヤーを絞ったとき杭保持用環状部は、多角形を形成するようにしたことを特徴とする請求項１記載の埋設杭の引き抜き方法。
【請求項３】
杭保持ワイヤーの直線部に連結棒を介して重機を連結し、この連結棒を固定手段にて掘削用ケーシングに固定するようにしたことを特徴とする請求項１又は２記載の埋設杭の引き抜き方法。
【請求項４】
吊りワイヤーは、上端の固定部を掘削用ケーシングの外側面に取り付け、下端の吊り下げリングをワイヤー収納凹部に設けたワイヤー吊り下げ切り欠きからワイヤー収納凹部内に吊り下げたことを特徴とする請求項１、２又は３記載の埋設杭の引き抜き方法。
【請求項５】
埋設杭の周りに掘削穴を掘削する掘削用ケーシングと、前記埋設杭に巻きつけて連結された重機により掘削用ケーシングとともに埋設杭を引き抜くための杭保持ワイヤーとを具備した埋設杭の引き抜き装置において、
前記杭保持ワイヤーは、前記埋設杭に巻きつけるための少なくとも２周した杭保持用環状部と、この杭保持用環状部の両端を上向きに伸ばした直線部とからなり、前記掘削用ケーシングは、下端部付近の内壁部に設けられ前記杭保持用環状部を収納するための全周囲が内方に開口したワイヤー収納凹部と、前記直線部を上方へ案内するための前記掘削用ケーシングに設けられたワイヤーガイド溝とを有し、前記掘削用ケーシングから垂下され、下端部に前記杭保持用環状部を前記ワイヤー収納凹部内で支持する複数本の吊りワイヤーを設け、前記ワイヤーガイド溝に、前記杭保持ワイヤーの前記埋設杭への巻き付け位置を固定する固定手段を設けたことを特徴とする埋設杭の引き抜き装置。
【請求項６】
前記杭保持ワイヤーの先端と重機とをＰＣ鋼棒で連結し、前記固定手段は、このＰＣ鋼棒に所定間隔で設けたロックナットを前記ワイヤーガイド溝内に締め付け固定する手段からなることを特徴とする請求項５記載の埋設杭の引き抜き装置。
【請求項７】
前記ワイヤー収納凹部は、内側が開口した断面コ字形をなし、上面に吊りワイヤーの吊り下げリングが垂下するワイヤー吊り下げ切り欠きを設けたことを特徴とする請求項５又は６記載の埋設杭の引き抜き装置。
【請求項８】
前記ワイヤー収納凹部は、外側面に所定間隔で設けた結び窓と、この結び窓に臨ませて前記杭保持用環状部を保持する固定部材を設けたことを特徴とする請求項５、６又は７記載の埋設杭の引き抜き装置。
【発明の詳細な説明】
【技術分野】
【０００１】
本発明は、掘削用ケーシングの下端部に設けた杭保持ワイヤーを地中の埋設杭に巻きつけ、簡単かつ確実に引き抜くことのできる埋設杭の引き抜き方法及びその装置に関するものである。
【背景技術】
【０００２】
従来から地盤に埋設された埋設杭を引き抜くには、図８（ａ）（ｂ）に示すような工法が知られていた（引用文献１）。
（１）地盤中の引き抜こうとする埋設杭１０の位置を確認し、埋設杭１０の周りに削孔ケーシング１１を回転して先端の掘削刃１２で掘削穴１７を掘削し、埋設杭１０と掘削穴１７の内壁面との接触を切る。
（２）掘削穴１７から削孔ケーシング１１を引き上げて、削孔ケーシング１１の下端部の一端部と他端部に所定間隔で２個ずつ形成された一端溝１４と他端溝１５に、図８（ａ）に示すようなリング状のワイヤー１３を、前記一端溝１４の外側を通り、削孔ケーシング１１の内側から他端溝１５の外側へ導き出し、前記一端溝１４と他端溝１５の間のワイヤー１３は、点線で示すように削孔ケーシング１１の内壁の引き掛け部に掛け止めして、再度削孔ケーシング１１を埋設杭１０の下端部まで挿入する。
（３）この状態で、ワイヤー１３の他端部１９を引き上げるとワイヤー１３は、削孔ケーシング１１の内周の引き掛け部から外れ、埋設杭１０の下面部１６において略平行になり、埋設杭１０の下面部１６を抱える状態となる。
（４）ワイヤー１３に張力を与えながら削孔ケーシング１１を引き上げ、埋設杭１０の下面部１６をワイヤー１３で抱えながら引き抜く。
【０００３】
引用文献１の他の例は、図９（ａ）に示すように、２本のワイヤー１３の交差する組により格子状に埋設杭１０の下面部１６を支える構成とし、それぞれの一端部１８を削孔ケーシング１１に固定し、他端部１９を引き出して２本のワイヤー１３の他端部１９を同時に引き上げることで埋設杭１０を引き抜く方法である。
【０００４】
さらに他の例は、図９（ｂ）に示すように、１本のワイヤー１３を用い、一端部１８を固定することなく削孔ケーシング１１の外側を経由してつなぐようにしたものであり、２本のワイヤー１３の他端部１９を同時に引き上げることで埋設杭１０を引き抜く方法である。
【先行技術文献】
【特許文献】
【０００５】
【特許文献１】特開２０１５-２１４７９５号公報
【発明の概要】
【発明が解決しようとする課題】
【０００６】
特許文献１によれば、図８（ａ）（ｂ）に示す工法では、ワイヤー１３を、埋設杭１０の直径より小さな幅の２本で一組の平行線とし、このワイヤー１３で埋設杭１０の下面部１６を抱えて引き抜く方法であり、また、図９（ａ）（ｂ）に示す工法では、ワイヤー１３を、埋設杭１０の直径より小さな幅の２本で一組の平行線とし、このワイヤー１３を二組が交差するように配置して埋設杭１０の下面部１６を抱えて引き抜く方法である。
これらの従来の方法では、埋設杭１０の下面部１６を抱え込む２本で一組の平行なワイヤー１３が、削孔ケーシング１１の一端部から他端部まで延びており、この長さは、埋設杭１０の直径より十分長い。埋設杭１０の下面部１６は、ワイヤー１３が引掛かる引き掛け部があるわけではなく、むしろ、埋設杭１０の打ち込みのためにテーパーを有しているとともに、ワイヤー１３は、負荷がかかると伸びが生じるので、引抜き時にワイヤー１３が下面部１６から外れてしまい、引抜きができなくなる恐れがあった。平行なワイヤー１３を二組が交差するように配置しても同様の問題があった。
また、埋設杭１０の中心点と削孔ケーシング１１の中心点は、完全に一致するように掘削穴１７が削孔されるものではなく、中心に位置ずれが生じる。このような位置ずれにより２本の平行なワイヤー１３に均等に負荷がかからなくなり、下面部１６の抱え込みが不十分となり引抜きができなくなる恐れがあった。
【０００７】
本発明は、埋設杭が断面円形のものはもちろん、断面円形の以外の形状であったり、掘削穴と埋設杭に位置ずれが生じたりしていても引抜用のワイヤーを埋設杭に確実に巻き付けて埋設杭を簡単かつ確実に引き抜くことのできる埋設杭の引き抜き方法及びその装置を提供することを目的とするものである。
【課題を解決するための手段】
【０００８】
本発明の方法は、
埋設杭２０の周りに掘削用ケーシング２１で掘削穴３０を掘削し、前記埋設杭２０に杭保持ワイヤー２３の杭保持用環状部２４を巻きつけて重機４０により掘削用ケーシング２１とともに埋設杭２０を引き抜くようにした埋設杭の引き抜き方法において、
前記掘削用ケーシング２１の下端部付近からこの掘削用ケーシング２１の内壁面に設けたワイヤー収納凹部２５に複数本の吊りワイヤー２７を垂下し、この吊りワイヤー２７の吊り下げリング２９に少なくとも２周した前記杭保持用環状部２４を支持し、この杭保持用環状部２４を前記ワイヤー収納凹部２５内に仮止めし、前記杭保持用環状部２４の両端部の直線部４３を前記掘削用ケーシング２１の外周のワイヤーガイド溝３２に案内して地上の引抜用クレーンなどの重機４０に連結する工程と、
前記埋設杭２０の周りに前記杭保持ワイヤー２３を取り付けた前記掘削用ケーシング２１で掘削穴３０を掘削する工程と、
前記重機４０で連結棒３９を介して杭保持ワイヤー２３を引き上げ、前記杭保持用環状部２４を絞って埋設杭２０に巻きつける工程と、
前記杭保持ワイヤー２３による埋設杭２０への巻き付け後、前記杭保持ワイヤー２３を掘削用ケーシング２１に固定する工程と、
前記杭保持ワイヤー２３と掘削用ケーシング２１の引き上げにより、埋設杭２０を引き抜く工程と
からなることを特徴とする。
【０００９】
吊りワイヤー２７は、少なくとも３本を略等間隔で設け、杭保持ワイヤー２３を絞ったとき杭保持用環状部２４は、多角形を形成する。
杭保持ワイヤー２３の直線部４３に連結棒３９を介して重機４０を連結し、この連結棒３９を固定手段４４にて掘削用ケーシング２１に固定する。
吊りワイヤー２７は、上端の固定部２８を掘削用ケーシング２１の外側面に取り付け、下端の吊り下げリング２９をワイヤー収納凹部２５に設けたワイヤー吊り下げ切り欠き３７からワイヤー収納凹部２５内に吊り下げたことを特徴とする。
【００１０】
本発明の装置は、
埋設杭２０の周りに掘削用ケーシング２１で掘削穴３０を掘削し、前記埋設杭２０に杭保持ワイヤー２３を巻きつけて重機４０により掘削用ケーシング２１とともに埋設杭２０を引き抜くようにした埋設杭の引き抜き装置において、
前記杭保持ワイヤー２３は、前記埋設杭２０に巻きつけるための少なくとも２周した杭保持用環状部２４と、この杭保持用環状部２４の両端を上向きに伸ばした直線部４３とからなり、前記掘削用ケーシング２１は、その下端部付近の内壁部に設けられ前記杭保持用環状部２４を収納するための全周囲が内方に開口したワイヤー収納凹部２５と、前記直線部４３を上方へ案内するための前記掘削用ケーシング２１に設けられたワイヤーガイド溝３２とを有し、前記掘削用ケーシング２１から垂下され、下端部に前記杭保持用環状部２４を前記ワイヤー収納凹部２５内で支持する吊り下げリング２９を有する複数本の吊りワイヤー２７を設け、前記ワイヤーガイド溝３２に、前記杭保持ワイヤー２３の前記埋設杭２０への巻き付け位置を固定する固定手段４４を設けたことを特徴とする。
【００１１】
前記杭保持ワイヤー２３の先端と重機４０とをＰＣ鋼棒３９で連結し、前記固定手段４４は、このＰＣ鋼棒３９に所定間隔で設けたロックナット３８を前記ワイヤーガイド溝３２内に締め付け固定する手段からなる。
前記ワイヤー収納凹部２５は、内側が開口した断面コ字形をなし、上面に吊りワイヤー２７の吊り下げリング２９が垂下するワイヤー吊り下げ切り欠き３７を設けたことを特徴とする。
【００１２】
前記ワイヤー収納凹部２５は、外側面に所定間隔で設けた結び窓３４と、この結び窓３４に臨ませて前記杭保持用環状部２４を保持する固定部材３５を設けたことを特徴とする。
【発明の効果】
【００１３】
請求項１記載の発明によれば、
埋設杭の周りに掘削用ケーシングで掘削穴を掘削し、前記埋設杭に杭保持ワイヤーの杭保持用環状部を巻きつけて重機により掘削用ケーシングとともに埋設杭を引き抜くようにした埋設杭の引き抜き方法において、
前記掘削用ケーシングの下端部付近からこの掘削用ケーシングの内壁面に設けたワイヤー収納凹部に複数本の吊りワイヤーを垂下し、この吊りワイヤーにて少なくとも２周した前記杭保持用環状部を支持し、この杭保持用環状部を前記ワイヤー収納凹部内に仮止めし、前記杭保持用環状部の両端部の直線部を前記掘削用ケーシングの外周のワイヤーガイド溝に案内して地上の重機に連結する工程と、
前記埋設杭の周りに前記杭保持ワイヤーを取り付けた前記掘削用ケーシングで掘削穴を掘削する工程と、
前記重機で連結棒を介して杭保持ワイヤーを引き上げ、前記杭保持用環状部を絞って埋設杭に巻きつける工程と、
前記杭保持ワイヤーによる埋設杭への巻き付け後、前記杭保持ワイヤーを掘削用ケーシングに固定する工程と、
前記杭保持ワイヤーと掘削用ケーシングの引き上げにより、埋設杭を引き抜く工程と
からなるので、次の効果を有する。
・掘削用ケーシングのワイヤー収納凹部に杭保持ワイヤーを仮止めして掘削穴を埋設杭の周りに掘削するので、掘削穴の掘削と杭保持ワイヤーの杭先までの送り込みを同時に行うことができる。
・杭保持ワイヤーによる埋設杭への巻き付け後、杭保持ワイヤーを掘削用ケーシングに固定するので、掘削用ケーシングと埋設杭の引抜きを同時に行うことができる。
・垂下した複数本の吊りワイヤーで杭保持用環状部を支持し、杭保持用環状部の両端部を掘削用ケーシングのワイヤーガイド溝に案内して地上の重機で引き上げるようにしたので、杭保持用環状部は、掘削用ケーシングと埋設杭に位置ずれがあっても確実に埋設杭に巻きつけることができる。
・杭保持用環状部が複数本の吊りワイヤーで支持されているので、埋設杭の引き上げ時に杭保持用環状部が確実に巻きつけ状態を保持しており、杭保持ワイヤーが埋設杭から外れる恐れがない。
・掘削刃で地盤を掘削しているときに掘削刃とワイヤーとの間に土石が挟まることがないので、掘削の際に地盤を泥水でドロドロにしなくても確実にワイヤー収納部から外れて埋設杭に巻きつけることができる。
【００１４】
請求項２記載の発明によれば、
吊りワイヤーは、少なくとも３本を略等間隔で設け、杭保持ワイヤーを絞ったとき杭保持用環状部は、多角形を形成するようにしたので、埋設杭の下端部を確実に抱え込み保持することができる。
【００１５】
請求項３記載の発明によれば、
杭保持ワイヤーの直線部に連結棒を介して重機を連結し、この連結棒を固定手段にて掘削用ケーシングに固定するようにしたので、掘削用ケーシングと杭保持ワイヤーが一体的に固定され、引き上げ時に杭保持ワイヤーが緩むことはない。
【００１６】
請求項４記載の発明によれば、
吊りワイヤーは、上端の固定部を掘削用ケーシングの外側面に取り付け、下端の吊り下げリングをワイヤー収納凹部に設けたワイヤー吊り下げ切り欠きからワイヤー収納凹部内に吊り下げたので、杭保持用環状部は、略中心に向かって絞り込まれ、杭の断面形状にかかわりなく巻きつき保持できる。
【００１７】
請求項５記載の発明によれば、
埋設杭の周りに掘削穴を掘削する掘削用ケーシングと、前記埋設杭に巻きつけて連結された重機により掘削用ケーシングとともに埋設杭を引き抜くための杭保持ワイヤーとを具備した埋設杭の引き抜き装置において、
前記杭保持ワイヤーは、前記埋設杭に巻きつけるための少なくとも２周した杭保持用環状部と、この杭保持用環状部の両端を上向きに伸ばした直線部とからなり、前記掘削用ケーシングは、下端部付近の内壁部に設けられ前記杭保持用環状部を収納するための全周囲が内方に開口したワイヤー収納凹部と、前記直線部を上方へ案内するための前記掘削用ケーシングに設けられたワイヤーガイド溝とを有し、前記掘削用ケーシングから垂下され、下端部に前記杭保持用環状部を前記ワイヤー収納凹部内で支持する複数本の吊りワイヤーを設け、前記ワイヤーガイド溝に、前記杭保持ワイヤーの前記埋設杭への巻き付け位置を固定する固定手段を設けたので、掘削用ケーシングの下端部にワイヤー収納凹部を、側面にワイヤーガイド溝を形成し、掘削用ケーシングの下端部に複数本の吊りワイヤーを設けるなどの簡単な構造の埋設杭の引き抜き装置を得ることができる。
【００１８】
請求項６記載の発明によれば、
前記杭保持ワイヤーの先端と重機とをＰＣ鋼棒で連結し、前記固定手段は、このＰＣ鋼棒に所定間隔で設けたロックナットを前記ワイヤーガイド溝内に締め付け固定する手段からなるので、杭保持ワイヤーで埋設杭を巻きつけた後の杭保持ワイヤーの掘削用ケーシングへの固定が確実に固定できる。
【００１９】
請求項７記載の発明によれば、
前記ワイヤー収納凹部は、内側が開口した断面コ字形をなし、上面に吊りワイヤーの吊り下げリングが垂下するワイヤー吊り下げ切り欠きを設けたので、掘削用ケーシングによる掘削穴の掘削がほとんど支障なくできる。
【００２０】
請求項８記載の発明によれば、
前記ワイヤー収納凹部は、外側面に所定間隔で設けた結び窓と、この結び窓に臨ませて前記杭保持用環状部を保持する固定部材を設けたので、ワイヤー収納凹部への杭保持用環状部の仮保持作業が容易である。
【図面の簡単な説明】
【００２１】
【図１】本発明による埋設杭の引き抜き方法及びその装置の実施例１を示すもので、（ａ）は、掘削用ケーシング２１の先端部の縦断面図、（ｂ）は、杭保持ワイヤー２３の斜視図である。
【図２】図１（ａ）におけるＡ−Ａ線断面図である。
【図３】図１（ａ）におけるＢ−Ｂ線断面図である。
【図４】本発明による埋設杭の引き抜き方法及びその装置を示すもので、（ａ）は、杭保持ワイヤー２３の杭保持用環状部２４を絞り込んで埋設杭２０の杭先端部２６に巻きつけた状態の一部切り欠いた正面図、（ｂ）は、（ａ）のＣ−Ｃ線断面図である。
【図５】（ａ）は、本発明による埋設杭の引き抜き方法及びその装置の実施例２を示す吊りワイヤー２７が４本の例を示す底面図、（ｂ）は、本発明による埋設杭の引き抜き方法及びその装置の実施例３を示す吊りワイヤー２７が２本の例を示す底面図である。
【図６】本発明による埋設杭の引き抜き方法及びその装置を示すもので、（ａ）は、角柱状の埋設杭２０に杭保持ワイヤー２３の杭保持用環状部２４を巻きつけて引き抜く例を示す底面図、（ｂ）は、掘削用ケーシング２１の中心点Ｏ１と円柱状の埋設杭２０の中心点Ｏ２が位置ずれ状態で埋設杭２０を杭保持ワイヤー２３の杭保持用環状部２４で巻きつけて引き抜く例を示す底面図である。
【図７】本発明による埋設杭の引き抜き方法及びその装置の動作説明図で、（ａ）は、埋設杭１０の周りの削孔工程図、（ｂ）は、杭保持ワイヤー２３の下端部の杭保持用環状部２４を絞り込む工程図、（ｃ）は、杭保持用環状部２４を埋設杭２０に巻きつけて杭保持ワイヤー２３を掘削用ケーシング２１に固定する工程図、（ｄ）は、掘削用ケーシング２１の引き上げで埋設杭２０を引き抜く工程図である。
【図８】特許文献１に記載の従来の埋設杭の引き抜き装置を示すもので、（ａ）は、ケーシング１１の先端の底面図、（ｂ）は、（ａ）の断面図である。
【図９】特許文献１に記載の従来の埋設杭の引き抜き装置の他の例を示すもので、（ａ）は、２本のワイヤー１３を用いた先端の底面図、（ｂ）は、１本のワイヤー１３を用いた他の例の底面図である。
【発明を実施するための形態】
【００２２】
本発明による埋設杭の引き抜き方法は、
埋設杭２０の周りに掘削用ケーシング２１で掘削穴３０を掘削し、前記埋設杭２０に杭保持ワイヤー２３の杭保持用環状部２４を巻きつけて重機４０により掘削用ケーシング２１とともに埋設杭２０を引き抜くようにした方法において、
前記掘削用ケーシング２１の下端部付近からこの掘削用ケーシング２１の内壁面に設けたワイヤー収納凹部２５に複数本の吊りワイヤー２７を垂下し、この吊りワイヤー２７の吊り下げリング２９に少なくとも２周した前記杭保持用環状部２４を支持し、この杭保持用環状部２４を前記ワイヤー収納凹部２５内に仮止めし、前記杭保持用環状部２４の両端部の直線部４３を前記掘削用ケーシング２１の外周のワイヤーガイド溝３２に案内して地上の引抜用クレーンなどの重機４０に連結する工程と、
前記埋設杭２０の周りに前記杭保持ワイヤー２３を取り付けた前記掘削用ケーシング２１で掘削穴３０を掘削する工程と、
前記重機４０で連結棒３９を介して杭保持ワイヤー２３を引き上げ、前記杭保持用環状部２４を絞って埋設杭２０に巻きつける工程と、
前記杭保持ワイヤー２３による埋設杭２０への巻き付け後、前記杭保持ワイヤー２３を掘削用ケーシング２１に固定する工程と、
前記杭保持ワイヤー２３と掘削用ケーシング２１の引き上げにより、埋設杭２０を引き抜く工程と
からなる。
【００２３】
前記吊りワイヤー２７は、少なくとも３本を略等間隔で設け、杭保持ワイヤー２３を絞ったとき杭保持用環状部２４は、多角形を形成するようにする。
前記杭保持ワイヤー２３の直線部４３に連結棒３９を介して重機４０を連結し、この連結棒３９を固定手段４４にて掘削用ケーシング２１に固定する。
前記吊りワイヤー２７は、上端の固定部２８を掘削用ケーシング２１の外側面に取り付け、下端の吊り下げリング２９をワイヤー収納凹部２５に設けたワイヤー吊り下げ切り欠き３７からワイヤー収納凹部２５内に吊り下げる。
【００２４】
本発明による埋設杭の引き抜き装置は、
埋設杭２０の周りに掘削用ケーシング２１で掘削穴３０を掘削し、前記埋設杭２０に杭保持ワイヤー２３を巻きつけて重機４０により掘削用ケーシング２１とともに埋設杭２０を引き抜くようにした装置において、
前記杭保持ワイヤー２３は、前記埋設杭２０に巻きつけるための少なくとも２周した杭保持用環状部２４と、この杭保持用環状部２４の両端を上向きに伸ばした直線部４３とからなり、前記掘削用ケーシング２１は、その下端部付近の内壁部に設けられ前記杭保持用環状部２４を収納するための全周囲が内方に開口したワイヤー収納凹部２５と、前記直線部４３を上方へ案内するための前記掘削用ケーシング２１に設けられたワイヤーガイド溝３２とを有し、前記掘削用ケーシング２１から垂下され、下端部に前記杭保持用環状部２４を前記ワイヤー収納凹部２５内で支持する吊り下げリング２９を有する複数本の吊りワイヤー２７を設け、前記ワイヤーガイド溝３２に、前記杭保持ワイヤー２３の前記埋設杭２０への巻き付け位置を固定する固定手段４４を設ける。
【００２５】
前記杭保持ワイヤー２３の先端と重機４０とをＰＣ鋼棒３９で連結し、前記固定手段４４は、このＰＣ鋼棒３９に所定間隔で設けたロックナット３８を前記ワイヤーガイド溝３２内に締め付け固定する手段からなる。
前記ワイヤー収納凹部２５は、内側が開口した断面コ字形をなし、上面に吊りワイヤー２７の吊り下げリング２９が垂下するワイヤー吊り下げ切り欠き３７を設ける。
前記ワイヤー収納凹部２５は、外側面に所定間隔で設けた結び窓３４と、この結び窓３４に臨ませて前記杭保持用環状部２４を保持する固定部材３５を設ける。
【実施例１】
【００２６】
以下、本発明による埋設杭の引き抜き方法及びその装置の実施例１を図１ないし図３に基づき説明する。
埋設杭２０は、地中に埋設され、本発明による埋設杭の引き抜き方法及びその装置により引き抜こうとするものであり、円柱状、円筒状などの外形が断面円形なものが多い。実施例１では、断面円形のものを例示しているが、断面円形なものに限られず、角柱状、矢板状などもあり、本発明は、断面形状にかかわりなく利用可能である。
符号２１は、前記埋設杭２０を引き抜くために、この埋設杭２０の周りに掘削穴３０を掘削するための掘削用ケーシングである。この掘削用ケーシング２１は、埋設杭２０が直径３００ｍｍ程度までであれば、直径７００ｍｍ、長さ１０００ｍｍ、肉厚９ｍｍ程度の金属製円筒体４２を主体とし、下端部に掘削刃２２を設けたものからなり、この円筒体４２は、埋設杭２０の長さに応じて順次連結される。
【００２７】
前記掘削用ケーシング２１の下端部付近には、前記掘削刃２２の取り付け位置のやや上方に位置して杭保持ワイヤー２３の杭保持用環状部２４を収納するため内側が開口した断面コ字形のワイヤー収納凹部２５が外方に膨出し、かつ、全周囲に連続した空間を持って設けられている。このワイヤー収納凹部２５の外周壁面には、所定間隔で結び窓３４が開口し、この結び窓３４に臨ませた内部には、前記杭保持用環状部２４を仮固定するための番線などの仮保持材３３を結びつける固定部材３５が設けられている。
【００２８】
前記掘削用ケーシング２１の円筒体４２の外側面には、縦方向にワイヤーガイド溝３２が形成され、このワイヤーガイド溝３２の下端部にワイヤー引き上げ切り欠き３６が前記ワイヤー収納凹部２５に連通して設けられている。前記杭保持ワイヤー２３は、図１（ｂ）に示すように、一端部２３ａから少なくとも２周して他端部２３ｂに至るような円形の杭保持用環状部２４を有する。この杭保持用環状部２４の径は、前記ワイヤー収納凹部２５内に収納される大きさとする。前記一端部２３ａと他端部２３ｂは、前記ワイヤー引き上げ切り欠き３６を経て上に伸びた直線部４３に連続し、この直線部４３の上端部が連結リング３８を介してＰＣ鋼棒などの連結棒３９に連結され、この連結棒３９は、後述するクレーンなどの重機４０に連結される。この連結棒３９の途中には、所定間隔で複数個のＰＣロックナットなどの固定手段４４が設けられている。
【００２９】
前記杭保持用環状部２４は、所定間隔で配置された複数本の吊りワイヤー２７で吊り下げられる。それぞれの吊りワイヤー２７は、上端部が前記円筒体４２の外壁部分に固定部２８で固定され、下端部に設けられた吊り下げリング２９に前記杭保持用環状部２４を通して支持している。このように形成された杭保持ワイヤー２３の杭保持用環状部２４は、前記ワイヤー収納凹部２５の内側から収納され、この杭保持用環状部２４部分が掘削用ケーシング２１の内方に突出しないように複数個所の仮保持材３３によって固定部材３５に仮止めされる。仮止めされている状態では、杭保持用環状部２４は、円筒体４２の内側に飛び出さないので、掘削用ケーシング２１による掘削穴３０の掘削に支障をきたすことがない。
【００３０】
前記吊りワイヤー２７と固定部２８は、円筒体４２の外側で保護カバー３１と保護枠４１により囲まれて掘削用ケーシング２１による掘削穴３０の掘削時の土砂から保護されている。この吊り下げリング２９は、前記ワイヤー収納凹部２５の上面と円筒体４２の側面に連続して形成されたワイヤー吊り下げ切り欠き３７からワイヤー収納凹部２５内に垂下し、杭保持ワイヤー２３の杭保持用環状部２４を保持するとともに、前記杭保持用環状部２４が直線部４３の引き上げ力で絞られたとき仮保持材３３が切断し、吊りワイヤー２７が中心に向かって引き寄せられる。
【００３１】
図１（ｂ）、図２、図３及び図４（ｂ）では、吊りワイヤー２７は、１２０度の間隔で３本設けて杭保持ワイヤー２３の杭保持用環状部２４を吊り下げ保持した例を示したが、図５（ａ）に示すように、４本の吊りワイヤー２７を９０度の間隔で設けて杭保持ワイヤー２３の杭保持用環状部２４を吊り下げるようにしてもよく、また、５本以上設けてもよい。ただし、この吊りワイヤー２７の本数は、多すぎると、埋設杭２０の引抜きの際に、掘削用ケーシング２１と埋設杭２０の間の土砂が抵抗になるので、埋設杭２０を確実に保持できる範囲内で本数を少なくすることが望ましい。
前記杭保持ワイヤー２３の杭保持用環状部２４を埋設杭２０の下に位置させて、この杭保持用環状部２４を埋設杭２０の径により小さく絞り込んでから杭保持用環状部２４で埋設杭２０の下端部を抱え込むような場合には、杭保持用環状部２４が３角形、４角形などの多角形を有することが望ましいので、吊り下げる本数は、３本以上とすることが望ましい。
しかし、杭保持用環状部２４がワイヤー収納凹部２５内に収納された状態で埋設杭２０の側部に位置させて巻きつけるようにする場合には、図５（ａ）に示すように、２本の吊りワイヤー２７を１８０度の等間隔で設けてもよい。
【００３２】
以上のような構成による作用を図７に基づき説明する。なお、図７では、吊りワイヤー２７は、４本で吊り下げている例を示している。
図７（ａ）
地盤に埋設された埋設杭２０の位置を確認し、この埋設杭２０の周りを掘削用ケーシング２１の回転により掘削刃２２で掘削穴３０を掘削開始するが、掘削穴３０の掘削に先立ち、図１（ａ）（ｂ）のように、掘削用ケーシング２１の先端部付近の外面から垂下した複数本のそれぞれの吊りワイヤー２７の吊り下げリング２９に、杭保持ワイヤー２３を順次少なくとも２周するように通してワイヤー収納凹部２５の内側に収納される程度の大きさの杭保持用環状部２４を形成し、これをワイヤー収納凹部２５の内側から収納し、結び窓３４から仮保持材３３を差込み固定部材３５に杭保持用環状部２４を仮止めし、円筒体４２の内側に飛び出さないようにする。また、杭保持用環状部２４の一端部２３ａと他端部２３ｂの上方の直線部４３は、ワイヤー引き上げ切り欠き３６からワイヤーガイド溝３２に沿わせ、連結リング３８でＰＣ鋼棒などの連結棒３９と連結する。
このようにして杭保持ワイヤー２３を収納した掘削用ケーシング２１により埋設杭２０の先端部まで掘削する。掘削時には、掘削用ケーシング２１の円筒部３５の内側又は外側に沿わせたホースで先端から水等を噴射するようにしてもよい。
【００３３】
図７（ｂ）
掘削用ケーシング２１のワイヤー収納凹部２５の位置が埋設杭２０の先端部の杭先端部２６よりやや下まで来たら、杭保持ワイヤー２３の直線部４３を、ＰＣ鋼棒などの連結棒３９を介して上端のクレーン等の重機３４にて引き上げる。この杭保持ワイヤー２３は、例えば、２０ｔｏｎでも耐えることのできるものを使用し、仮保持材３３は、５００ｋｇ程度で切断できる番線などで仮保持しておくことにより、杭保持ワイヤー２３を重機３４で引き上げると、仮保持材３３が切断され、複数本の吊りワイヤー２７の中間部分がワイヤー吊り下げ切り欠き３７でそれぞれ中心方向に引き込まれて円形の杭保持用環状部２４が埋設杭２０の直径より縮小された多角形となる。図示例では、４本の吊りワイヤー２７を用いているので、略４角形の杭保持用環状部２４となる。
なお、図７（ａ）の工程で杭保持用環状部２４を埋設杭２０の側面部に位置させることにより、図７（ｂ）の工程で埋設杭２０の外周に巻きつくようにしてもよく、その例は、後述する。
【００３４】
図７（ｃ）
杭保持用環状部２４が絞られた状態で、掘削用ケーシング２１を杭保持ワイヤー２３とともに引き上げると、図４（ａ）（ｂ）に示すように、埋設杭２０より縮小された多角形の杭保持用環状部２４が円錐形の杭先端部２６に巻きついて抱え込む。杭保持ワイヤー２３の杭保持用環状部２４で杭先端部２６を強く巻きつけるようにクレーンなどの重機４０で引っ張り荷重を掛けた状態で、杭保持ワイヤー２３に連結したＰＣ鋼棒などの連結棒３９をＰＣロックナットなどの固定手段４４の締め付けで掘削用ケーシング２１のワイヤーガイド溝３２に固定する。ＰＣロックナットなどの固定手段４４は、掘削用ケーシング２１が地上に突出した位置で締め付けて固定できるように、連結棒３９には、所定間隔で複数個設けておくことが望ましい。
【００３５】
図７（ｄ）
掘削用ケーシング２１を杭保持ワイヤー２３とともに重機４０で引き上げる。掘削用ケーシング２１は、ＰＣロックナットなどの固定手段４４の締め付けでＰＣ鋼棒などの連結棒３９と一体に固定されているので、杭保持ワイヤー２３に連結されたクレーンなどの重機４０で掘削用ケーシング２１を引き上げてもよいが、重機４０とは異なる重機で掘削用ケーシング２１を引き上げてもよい。このようにして埋設杭２０を掘削用ケーシング２１と杭保持ワイヤー２３で掘削穴３０から引き抜く。埋設杭２０が長い時には、複数本の掘削用ケーシング２１を連結するが、掘削用ケーシング２１は、上部から順次切り離す。切り離す際に、残った掘削用ケーシング２１に連結棒３９を下方の固定手段４４で締め付け固定してから行う。上部の掘削用ケーシング２１を切り離した後、埋設杭２０の地上に引き上げられた部分を５〜１０ｍ程度ずつ切断して順次引き上げることにより引き抜き作業が円滑に行われる。
【００３６】
前記実施例では、杭保持ワイヤー２３の杭保持用環状部２４を埋設杭２０の杭先端部２６部分に巻きつけ抱えて引き抜くようにしたが、埋設杭２０の杭先端部２６が円錐形でないようなときには、埋設杭２０の胴体部分に巻きつけるようにしてもよい。
前記実施例では、埋設杭２０が断面円形の例を示したが、図６（ａ）に示すように、断面が円形以外の断面多角形状杭であってもよい。さらに、チャンネル材のような断面コ字状杭、矢板のような板状杭などであってもよい。
【００３７】
前記実施例では、埋設杭２０の中心点と掘削用ケーシング２１の中心点が一致するように記載したが、掘削用ケーシング２１により掘削された掘削穴３０が完全に一致することはありえない。しかし、本発明では、掘削用ケーシング２１のワイヤー収納凹部２５に収納された状態の杭保持用環状部２４は、図６（ｂ）に示すように掘削用ケーシング２１の中心点Ｏ１と埋設杭２０の中心点Ｏ２が偏心していても径が埋設杭２０より十分に大きいので、掘削穴３０内の埋設杭２０は、杭保持用環状部２４で確実に巻きつき抱え込むことができる。
前記実施例では、前記杭保持ワイヤー２３の杭保持用環状部２４は、一端部２３ａから他端部２３ｂに至り少なくとも２周する構成としたが、３周、またはそれ以上でもよい。ただし、３周以上とすると、環状部が互いに重なり合って埋設杭２０への締め付けが不十分になる恐れがあるので周回数は２回であることが好ましい。
【符号の説明】
【００３８】
１０…埋設杭、１１…削孔ケーシング、１２…掘削刃、１３…ワイヤー、１４…一端溝、１５…他端溝、１６…下面部、１７…掘削穴、１８…一端部、１９…他端部、２０…埋設杭、２１…掘削用ケーシング、２２…掘削刃、２３…杭保持ワイヤー、２４…杭保持用環状部、２５…ワイヤー収納凹部、２６…杭先端部、２７…吊りワイヤー、２８…固定部、２９…吊り下げリング、３０…掘削穴、３１…保護カバー、３２…ワイヤーガイド溝、３３…仮保持材、３４…結び窓、３５…固定部材、３６…ワイヤー引き上げ切り欠き、３７…ワイヤー吊り下げ切り欠き、３８…連結リング、３９…ＰＣ鋼棒などの連結棒、４０…クレーンなどの重機、４１…保護枠、４２…円筒体、４３…直線部、４４…ＰＣロックナットなどの固定手段。
【図１】
0006539890.tif 000002
【図２】
0006539890.tif 000003
【図３】
0006539890.tif 000004
【図４】
0006539890.tif 000005
【図５】
0006539890.tif 000006
【図６】
0006539890.tif 000007
【図７】
0006539890.tif 000008
【図８】
0006539890.tif 000009
【図９】
0006539890.tif 000010